(57)【要約】【課題】中空のケーシング（１０）内の吸着素子（８１，８２）を用いて室内へ供給される被処理空気の湿度調節を行う調湿装置において、メンテナンス作業を容易に行えるようにする。【解決手段】調湿装置に、吸着素子（８１，８２）を再生するために該吸着素子（８１，８２）へ向かう被処理空気を加熱する加熱用の熱交換器（１０２）と、吸着素子（８１，８２）を通過後の被処理空気を冷媒と熱交換させて冷凍サイクル動作中に蒸発器となる熱源用の熱交換器（１０３，１０４）と、圧縮機（１０１）とが配管を介して接続された冷媒回路を設ける。この冷媒回路を、支持部材（７１）に固定することによってその全体が一体化する。この一体化した冷媒回路の全体をケーシング（１０）に対して着脱自在とする。【選択図】  図１
2005009767.tif 000002
【特許請求の範囲】
【請求項１】
吸着素子（８１，８２）が収納されたケーシング（１０）内で被処理空気を流通させ、吸着素子（８１，８２）を用いて被処理空気の湿度調節を行う調湿装置であって、
上記吸着素子（８１，８２）を再生するために該吸着素子（８１，８２）へ向かう被処理空気を加熱する加熱用の熱交換器（１０２）と、吸着素子（８１，８２）を通過後の被処理空気を冷媒と熱交換させて冷凍サイクル動作中に蒸発器となる熱源用の熱交換器（１０３，１０４）と、圧縮機（１０１）とが配管を介して接続された冷媒回路を備え、上記冷媒回路は、支持部材（７１）に固定されることによってその全体が一体化され、一体化された上記冷媒回路の全体がケーシング（１０）に対して着脱自在となっていることを特徴とする調湿装置。
【請求項２】
請求項１に記載の調湿装置において、
ケーシング（１０）内では、それぞれ直方体状に形成された第１及び第２の吸着素子（８１，８２）が互いに平行に並んで配置され、第１の吸着素子（８１）と第２の吸着素子（８２）の間に加熱用の熱交換器（１０２）が配置されると共に、冷媒回路を上記吸着素子（８１，８２）の長手方向へ移動させることでケーシング（１０）から取り出し可能となるような位置に該冷媒回路の熱交換器（１０２，１０３，１０４）及び圧縮機（１０１）が配置されていることを特徴とする調湿装置。
【請求項３】
請求項１に記載の調湿装置において、
冷媒回路をケーシング（１０）の下方へ移動させることで該ケーシング（１０）から取り出し可能となるように上記冷媒回路の熱交換器（１０２，１０３，１０４）及び圧縮機（１０１）が支持部材（７１）に載置されていることを特徴とする調湿装置。
【請求項４】
請求項３に記載の調湿装置において、
支持部材（７１）は、ケーシング（１０）の底部（１９）に対して着脱可能な点検用蓋を兼ねていることを特徴とする調湿装置。
【発明の詳細な説明】
【０００１】
【発明の属する技術分野】
本発明は、空気の湿度調節を行う調湿装置に関する技術分野に属する。
【０００２】
【従来の技術】
従来より、吸着材を用いて空気の湿度調節を行う調湿装置が知られている。例えば、特許文献１に開示されている調湿装置では、第１及び第２のファンにより中空のケーシング内で第１及び第２の被処理空気が流通される。ケーシング内では、被処理空気の流通経路が切り換えられて各吸着素子で吸着と脱離が交互に行われる。そして、上記調湿装置は、第１の吸着素子と第２の吸着素子とを交互に用い、室内へ供給される被処理空気の除湿又は加湿を行うように構成されている。
【０００３】
上記調湿装置には、冷凍サイクルを行う冷媒回路が設けられている。そして、冷媒回路の凝縮器で加熱した被処理空気を吸着素子へ供給し、吸着素子の再生を行っている。また、冷媒回路の蒸発器で冷媒と被処理空気を熱交換させ、被処理空気の冷却や被処理空気からの熱回収を行っている。
【０００４】
【特許文献１】
特開２００２−２２２０６号公報
【０００５】
【発明が解決しようとする課題】
しかしながら、上記調湿装置では、冷媒回路をメンテナンスする際の作業性が悪いという問題があった。この問題点について説明する。
【０００６】
冷媒回路は、熱交換器や圧縮機などを配管で接続することによって構成されている。そして、例えば圧縮機を交換しようとすると、配管を切断して故障した圧縮機を取り外し、新たな圧縮機を冷媒回路の配管に接続する作業が必要となる。ところが、上記調湿装置において、冷媒回路は、ケーシング内の離れた位置に配置された熱交換器や圧縮機などを配管で接続するとによって構成されている。したがって、作業者は、配管を切断したり圧縮機等を配管に接続するといった比較的複雑な作業を、狭いケーシング内で行わなければならない。また、上記調湿装置は、天井裏の空間に設置される場合が多く、その場合、作業者は、無理な姿勢で煩雑な作業を行わなければならない。このため、上記調湿装置では、冷媒回路のメンテナンス作業に非常な手間を要し、その作業効率も低かった。
【０００７】
本発明は斯かる点に鑑みてなされたものであり、その目的とするところは、ケーシング内の冷媒回路の配置に工夫を加えることにより、メンテナンスのしやすい調湿装置を提供することにある。
【０００８】
【課題を解決するための手段】
上記の目的を達成するために、請求項１の発明では、吸着素子（８１，８２）が収納されたケーシング（１０）内で被処理空気を流通させ、吸着素子（８１，８２）を用いて被処理空気の湿度調節を行う調湿装置を対象とする。
【０００９】
そして、上記吸着素子（８１，８２）を再生するために該吸着素子（８１，８２）へ向かう被処理空気を加熱する加熱用の熱交換器（１０２）と、吸着素子（８１，８２）を通過後の被処理空気を冷媒と熱交換させて冷凍サイクル動作中に蒸発器となる熱源用の熱交換器（１０３，１０４）と、圧縮機（１０１）とが配管を介して接続された冷媒回路を備え、冷媒回路は、支持部材（７１）に固定されることによってその全体が一体化され、一体化された上記冷媒回路の全体がケーシング（１０）に対して着脱自在とする。
【００１０】
上記の構成によると、ケーシング（１０）内を流れる被処理空気の調湿が、吸着素子を用いて行われる。つまり、吸着素子（８１，８２）に被処理空気中の水分を吸着させれば、被処理空気が除湿される。また、加熱用の熱交換器（１０２）によって加熱した被処理空気を供給して吸着素子（８１，８２）を再生すれば吸着素子（８１，８２）から脱離した水分によって被処理空気が加湿される。
【００１１】
この発明の調湿装置には、冷媒回路が設けられる。この冷媒回路において、加熱用の熱交換器（１０２）では、吸着素子（８１，８２）へ向かう被処理空気に対して冷媒が放熱する。また、蒸発器となる熱源用の熱交換器（１０３，１０４）では、吸着素子（８１，８２）を通過した後の被処理空気から冷媒が吸熱する。この冷媒回路は、支持部材（７１）に固定されることによってその全体が一体化される。メンテナンスの際には、この一体化された冷媒回路の全体が支持部材（７１）ごとケーシング（１０）に対して着脱される。
【００１２】
請求項２の発明では、ケーシング（１０）内には、それぞれ直方体状に形成された第１及び第２の吸着素子（８１，８２）が互いに平行に並んで配置され、第１の吸着素子（８１）と第２の吸着素子（８２）の間に加熱用の熱交換器（１０２）が配置されると共に、冷媒回路を吸着素子（８１，８２）の長手方向へ移動させることでケーシング（１０）から取り出し可能となるような位置に冷媒回路の熱交換器（１０２，１０３，１０４）及び圧縮機（１０１）が配置される構成とする。
【００１３】
上記の構成によると、ケーシング（１０）内で第１の吸着素子（８１）と第２の吸着素子（８２）の間に加熱用の熱交換器（１０２）が配置される。また、冷媒回路の熱源用の熱交換器（１０２，１０３）や圧縮機（１０１）は、ケーシング（１０）内の所定の位置に設置されている。そして、冷媒回路は、その全体が吸着素子（８１，８２）の長手方向へ移動することにより、第１の吸着素子（８１）と第２の吸着素子（８２）の間を通ってケーシング（１０）から取り出される。
【００１４】
請求項３の発明では、冷媒回路をケーシング（１０）の下方へ移動させることで該ケーシング（１０）から取り出し可能となるように上記冷媒回路の熱交換器（１０２，１０３，１０４）及び圧縮機（１０１）が支持部材（７１）に載置される構成とする。
【００１５】
上記の構成によると、冷媒回路を構成する熱交換器（１０２，１０３，１０４）及び圧縮機（１０１）が支持部材（７１）に載せられており、支持部材（７１）をケーシング（１０）の下方へ移動させると、この支持部材（７１）と共に冷媒回路の全体がケーシング（１０）の下方へ引き出される。
【００１６】
請求項４の発明では、支持部材（７１）は、ケーシング（１０）の底部（１９）に対して着脱可能な点検用蓋を兼ねる構成とする。
【００１７】
上記の構成によると、点検用蓋を兼ねる支持部材（７１）をケーシング（１０）の底部（１９）から取り外すと、支持部材（７１）の移動と共に冷媒回路がケーシング（１０）外に取り出される。
【００１８】
【発明の実施の形態】
（実施形態１）
以下、本発明の実施形態を図面に基づいて説明する。なお、以下の実施形態は、本質的に好ましい例示に過ぎず、本発明、その適用物や用途の範囲を制限することを意図するものでは全くない。
【００１９】
本実施形態１に係る調湿装置は、第１及び第２のファン（９５，９６）と、第１及び第２の吸着素子（８１，８２）とが中空のケーシング（１０）に収納され、このケーシング（１０）内に取り込んだ第１及び第２の被処理空気の流通経路を切り換えることにより、第１の吸着素子（８１）と第２の吸着素子（８２）とを交互に用いて室内へ供給される被処理空気の除湿又は加湿を行うように構成されている。この調湿装置は、例えば屋内の天井面（Ｒ）に取り付けられる。
【００２０】
ここでは、本実施形態に係る調湿装置の構成について、図１，図６を参照しながら説明する。なお、本実施形態１の説明において、「上」  「下」  「左」  「右」  「前」  「後」  「手前」  「奥」  は、特にことわらない限り、図１に示す調湿装置を正面側（同図で下側）から見た場合のものを意味している。
【００２１】
なお、図１〜図４において、（Ｂ）は正面図を表し、（Ａ）及び（Ｃ）は、理解しやすくするために、それぞれ左側から見た左側仕切板（３０）及び右側から見た右側仕切板（２０）を表している。また、（Ｂ）においては、右側上下仕切板（２８）及び左側上下仕切板（３８）を一部破断して被処理空気の流れを示している。
【００２２】
図１に示すように、上記調湿装置は、やや扁平な直方体状のケーシング（１０）を備えている。このケーシング（１０）には、２つの吸着素子（８１，８２）と、冷媒回路とが収納されている。
【００２３】
冷媒回路では、加熱用の熱交換器としての再生熱交換器（１０２）と、冷凍サイクル動作中に蒸発器となる熱源用の第１熱交換器（１０３）及び第２熱交換器（１０４）と、圧縮機（１０１）と、膨張弁（図示せず）とが配管を介して接続されている。この冷媒回路は、後述する支持部材（７１）に固定されることによってその全体が一体化されている。冷媒回路では、充填された冷媒を循環させることによって冷凍サイクルが行われる。また、冷媒回路は、第１熱交換器（１０３）が蒸発器となる運転と、第２熱交換器（１０４）が蒸発器となる運転とを切り換え可能に構成されている。
【００２４】
図６に示すように、上記吸着素子（８１，８２）は、平板状の平板部材（８３）と波形状の波板部材（８４）とを交互に積層して構成されている。波板部材（８４）は、隣接する波板部材（８４）の稜線方向が互いに９０°ずれる姿勢で積層されている。そして、吸着素子（８１，８２）は、全体として直方体状ないし四角柱状に形成されている。
【００２５】
上記吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。
【００２６】
上記吸着素子（８１，８２）において、調湿側通路（８５）に臨む平板部材（８３）の表面や、調湿側通路（８５）に設けられた波板部材（８４）の表面には、水蒸気を吸着するための吸着材が塗布されている。この種の吸着材としては、例えばシリカゲル、ゼオライト、イオン交換樹脂等が挙げられる。
【００２７】
また、図１に示すように、第１，第２吸着素子（８１，８２）は、それぞれ長手方向中央部で２分割されていて、メンテナンス時にはその分割された部分の一方のみを取り外すことも可能となっている。なお、第１，第２吸着素子（８１，８２）は、分割されていなくてもよい。
【００２８】
図７及び図８にも示すように、上記ケーシング（１０）は、その長手方向に直交する第１パネル（１１）及び第２パネル（１２）と、ケーシング（１０）の長手方向に沿う第３パネル（１７）及び第４パネル（１８）とを備えている。第１パネル（１１）は、ケーシング（１０）の左側壁を構成しており、その奥側の上部に第１吸込口（１３）が、その手前側の下部に第２吹出口（１６）がそれぞれ形成されている。一方、第２パネル（１２）は、ケーシング（１０）の右側壁を構成しており、その奥側の下部に第１吹出口（１４）が、その手前側の上部に第２吸込口（１５）がそれぞれ形成されている。
【００２９】
上記第１パネル（１１）において、第１吸込口（１３）には室外側吸込用ダクト（１１３）が接続され、第２吹出口（１６）には室外側吹出用ダクト（１１６）が接続されている。一方、第２パネル（１２）の第１吹出口（１４）には室内側吹出用ダクト（１１４）が接続され、第２吸込口（１５）には室内側吸込用ダクト（１１５）が接続されている。なお、これらのダクト（１１３，１１４，…）は点検時に取り外しができるように板金製のものではなく、蛇腹状のフレキシブルなものにするのが望ましい。
【００３０】
そして、図８に示すように、上記第１パネル（１１）には、その一部がケーシング（１０）から取り外し可能な冷媒回路点検用蓋としての第１の点検用蓋（１２１）が設けられている。同様に第２パネル（１２）には冷媒回路点検用蓋としての第２の点検用蓋（１２２）が設けられている。
【００３１】
図１に示すように、ケーシング（１０）下面の前後方向中央部には細長い長方形板状の支持部材（７１）が配置されている。この支持部材（７１）は、その長辺がケーシング（１０）の左右幅とほぼ等しくなっており、この長辺がケーシング（１０）の第３及び第４パネル（１７，１８）と平行となる姿勢で設置されている。また、支持部材（７１）は、ケーシング（１０）に対して左右方向にスライド可能となっている。
【００３２】
また、ケーシング（１０）には、右側仕切板（２０）と左側仕切板（３０）が立設されている。右側仕切板（２０）と左側仕切板（３０）は、平面視で段差状に折れ曲がった形状となっている。そして、上記ケーシング（１０）の内部は、右側仕切板（２０）と左側仕切板（３０）とによって左右に３つの空間に仕切られている。
【００３３】
上記右側仕切板（２０）と左側仕切板（３０）の間には、２つの吸着素子（８１，８２）が設置されている。これら吸着素子（８１，８２）は、所定の間隔をおいて前後に並んだ状態に配置されている。具体的には、吸着素子（８１，８２）は、手前側の第１吸着素子（８１）が右側の第２パネル（１２）寄りに、また奥側の第２吸着素子（８２）が左側の第１パネル（１１）寄りに、それぞれケーシング（１０）の長手方向に沿って互いに平行に並んで設けられている。そして、前後方向における両吸着素子（８１，８２）の間隔は、支持部材（７１）の前後方向の長さ（すなわち、その短辺の長さ）と同じとなっている。
【００３４】
上記ケーシング（１０）内部の左側仕切板（３０）と第１パネル（１１）の間の空間は、上記吸着素子（８１，８２）の配置に合わせて手前側（第１吸着素子（８１）の第１パネル（１１）側）が奥側に比べて広く形成されると共に、左側上下仕切板（３８）によって全体に上下に２段の空間に仕切られている。この上下２つの空間のうち、下側の空間は第１吹出側流路（４１）を構成し、上側の空間は第１吸込側流路（４２）を構成している。
【００３５】
上記第１吹出側流路（４１）は、手前側の第２吹出口（１６）に接続された室外側吹出用ダクト（１１６）を介して室外に連通している。一方、第１吸込側流路（４２）は、第１吸込口（１３）に接続された室外側吸込用ダクト（１１３）を介して室外に連通している。
【００３６】
第１吹出側流路（４１）における手前側の広い空間には、第１のファンとしての第１吹出ファン（９５）が設置されている。第１吹出ファン（９５）は、その吹出側が第１パネル（１１）の第２吹出口（１６）に接続されている。第１吹出側流路（４１）の前後方向中央部には、第１熱交換器（１０３）が配置される。この第１熱交換器（１０３）は、上記支持部材（７１）に固定されている。
【００３７】
第１吹出ファン（９５）の右側には、左側左右仕切板（３９）が設けられる。この左側左右仕切板（３９）により、第１吹出ファン（９５）へ向かって流れる被処理空気が第１熱交換器（１０３）に誘導される。
【００３８】
上記ケーシング（１０）内部の右側仕切板（２０）と第２パネル（１２）の間の空間は、上記吸着素子（８１，８２）の配置に合わせて上記第１パネル（１１）とは逆に奥側（第２吸着素子（８２）の第２パネル（１２）側）が手前側に比べて広く形成されると共に、右側上下仕切板（２８）によって全体に上下に２段の空間に仕切られている。この上下２つの空間のうち、下側の空間は第２吹出側流路（４３）を構成し、上側の空間は第２吸込側流路（４４）を構成している。
【００３９】
第２吹出側流路（４３）は、第１吹出口（１４）に接続された室内側吹出用ダクト（１１４）を介して室内に連通している。一方、第２吸込側流路（４４）は第２吸込口（１５）及び室内側吸込用ダクト（１１５）を介して室内に連通している。
【００４０】
第２吹出側流路（４３）における奥側の広い空間には、第２ファンとしての第２吹出ファン（９６）が設置されている。第２吹出ファン（９６）は、その吹出側が第２パネル（１２）の第１吹出口（１４）に接続されている。第２吹出側流路（４３）の前後方向中央部には、第２熱交換器（１０４）が配置される。この第２熱交換器（１０４）は、上記支持部材（７１）に固定されている。
【００４１】
第２吹出ファン（９６）の左側には、右側左右仕切板（２９）が設けられる。この右側左右仕切板（２９）により、第２吹出ファン（９６）へ向かって流れる被処理空気が第２熱交換器（１０４）に誘導される。
【００４２】
上記第１及び第２吸着素子（８１，８２）は、それぞれにおける平板部材（８３）及び波板部材（８４）の積層方向がケーシング（１０）の左右方向（すなわち長手方向）と一致する姿勢で設置されている。この姿勢の各吸着素子（８１，８２）では、その上下の側面に調湿側通路（８５）が開口し、その前後の側面に冷却側通路（８６）が開口する一方、その左右の端面にはいずれの通路（８５，８６）も開口していない。
【００４３】
図５にも示すように、右側仕切板（２０）と左側仕切板（３０）の間の空間は、第１流路（５１）、第２流路（５２）、第１下部流路（５３）、第１上部流路（５４）、第２下部流路（５５）、第２上部流路（５６）、及び中央流路（５７）に区画されている。
【００４４】
第１流路（５１）は、手前側の第３パネル（１７）と第１吸着素子（８１）との間に形成され、第１吸着素子（８１）の冷却側通路（８６）に連通している。第２流路（５２）は、奥側の第４パネル（１８）と第２吸着素子（８２）との間に形成され、第２吸着素子（８２）の冷却側通路（８６）に連通している。
【００４５】
第１下部流路（５３）は、第１吸着素子（８１）の下側に形成され、第１吸着素子（８１）の調湿側通路（８５）に連通している。第１上部流路（５４）は、第１吸着素子（８１）の上側に形成され、第１吸着素子（８１）の調湿側通路（８５）に連通している。第２下部流路（５５）は、第２吸着素子（８２）の下側に形成され、第２吸着素子（８２）の調湿側通路（８５）に連通している。第２上部流路（５６）は、第２吸着素子（８２）の上側に形成され、第２吸着素子（８２）の調湿側通路（８５）に連通している。
【００４６】
中央流路（５７）は、第１吸着素子（８１）と第２吸着素子（８２）の間に形成され、両吸着素子（８１，８２）の冷却側通路（８６）に連通している。この中央流路（５７）内の支持部材（７１）には、再生熱交換器（１０２）がほぼ垂直に立った状態で固定されている。この再生熱交換器（１０２）は、中央流路（５７）を流れる空気を冷媒回路の冷媒と熱交換させる。そして、再生熱交換器（１０２）は、凝縮器として機能し、空気を加熱する。図１に示すように、中央流路（５７）内の再生熱交換器（１０２）の左端側の支持部材（７１）に上記冷媒回路の圧縮機（１０１）が固定されている。なお、再生熱交換器（１０２）は、ほぼ水平に寝かせた状態で配置してもよい。
【００４７】
中央流路（５７）と第１上部流路（５４）の間の仕切りは、第１吸着素子（８１）の長手方向中央部の分割面に合わせて左右方向に２分割されていて、分割された仕切に１つずつ第１シャッタ（６１）が設けられている。一方、中央流路（５７）と第２上部流路（５６）の間の仕切りも、第２吸着素子（８２）の長手方向中央部の分割面に合わせて左右に分割されていて、分割された仕切に１つずつ第２シャッタ（６２）が設けられている。第１シャッタ（６１）と第２シャッタ（６２）は、いずれもが開閉自在なダンパとして各吸着素子（８１，８２）と一体に設けられていて、メンテナンス時には、それぞれの吸着素子（８１，８２）と共に一体に取り出し可能となっている。
【００４８】
右側仕切板（２０）は、支持部材（７１）に対応するように手前側から奥側に向かって３分割されていて、その分割された中央部分が支持部材（７１）に立設されている。また、分割された手前側に第１右側開口（２１）、第１右下開口（２３）及び第１右上開口（２４）が、また最も奥側に第２右側開口（２２）、第２右下開口（２５）及び第２右上開口（２６）がそれぞれ形成されている。これらの開口（２１，２２，…）には、それぞれダンパとしての開閉シャッタが開閉自在に各吸着素子（８１，８２）と一体に設けられていて、メンテナンス時には、分割された右側仕切板（２０）の一部及び吸着素子（８１，８２）と共に取り出し可能になっている。
【００４９】
第１右側開口（２１）は、右側仕切板（２０）における手前側の上部に設けられている。第１右側開口（２１）の開閉シャッタが開いた状態では、第１流路（５１）と第２吸込側流路（４４）が互いに連通する。第２右側開口（２２）は、右側仕切板（２０）における奥側の上部に設けられている。第２右側開口（２２）の開閉シャッタが開いた状態では、第２流路（５２）と第２吸込側流路（４４）が互いに連通する。
【００５０】
第１右下開口（２３）は、右側仕切板（２０）のうち第１吸着素子（８１）に隣接する部分の下部に設けられている。第１右下開口（２３）の開閉シャッタが開いた状態では、第１下部流路（５３）と第２吹出側流路（４３）が互いに連通する。第１右上開口（２４）は、右側仕切板（２０）のうち第１吸着素子（８１）に隣接する部分の上部に設けられている。第１右上開口（２４）の開閉シャッタが開いた状態では、第１上部流路（５４）と第２吸込側流路（４４）が互いに連通する。
【００５１】
第２右下開口（２５）は、右側仕切板（２０）のうち第２吸着素子（８２）に隣接する部分の下部に設けられている。第２右下開口（２５）の開閉シャッタが開いた状態では、第２下部流路（５５）と第２吹出側流路（４３）が互いに連通する。第２右上開口（２６）は、右側仕切板（２０）のうち第２吸着素子（８２）に隣接する部分の上部に設けられている。第２右上開口（２６）の開閉シャッタが開いた状態では、第２上部流路（５６）と第２吸込側流路（４４）が互いに連通する。
【００５２】
左側仕切板（３０）も、支持部材（７１）に対応するように手前側から奥側に向かって３分割されていて、その分割された中央部分が支持部材（７１）に立設されている。また、分割された手前側には、第１左側開口（３１）、第１左下開口（３３）及び第１左上開口（３４）が、また奥側には第２左側開口（３２）、第２左下開口（３５）及び第２左上開口（３６）がそれぞれ形成されている。これらの開口（３１，３２，…）は、それぞれがダンパとしての開閉シャッタを備えて開閉自在に各吸着素子（８１，８２）と一体に設けられていて、メンテナンス時には、分割された左側仕切板（３０）の一部及び吸着素子（８１，８２）と共に取り出し可能になっている。
【００５３】
第１左側開口（３１）は、左側仕切板（３０）における手前側の上部に設けられている。第１左側開口（３１）の開閉シャッタが開いた状態では、第１流路（５１）と第１吸込側流路（４２）が互いに連通する。第２左側開口（３２）は、左側仕切板（３０）における奥側の上部に設けられている。第２左側開口（３２）の開閉シャッタが開いた状態では、第２流路（５２）と第１吸込側流路（４２）が互いに連通する。
【００５４】
第１左下開口（３３）は、左側仕切板（３０）のうち第１吸着素子（８１）に隣接する部分の下部に設けられている。第１左下開口（３３）の開閉シャッタが開いた状態では、第１下部流路（５３）と第１吹出側流路（４１）が互いに連通する。第１左上開口（３４）は、左側仕切板（３０）のうち第１吸着素子（８１）に隣接する部分の上部に設けられている。第１左上開口（３４）の開閉シャッタが開いた状態では、第１上部流路（５４）と第１吸込側流路（４２）が互いに連通する。
【００５５】
第２左下開口（３５）は、左側仕切板（３０）のうち第２吸着素子（８２）に隣接する部分の下部に設けられている。第２左下開口（３５）の開閉シャッタが開いた状態では、第２下部流路（５５）と第１吹出側流路（４１）が互いに連通する。第２左上開口（３６）は、左側仕切板（３０）のうち第２吸着素子（８２）に隣接する部分の上部に設けられている。第２左上開口（３６）の開閉シャッタが開いた状態では、第２上部流路（５６）と第１吸込側流路（４２）が互いに連通する。
【００５６】
そして、図７，図８に示すように、天井面（Ｒ）におけるケーシング（１０）の第１パネル（１１）近傍には、メンテナンス時に作業員により開閉される第１の点検用マンホール（Ｈ１）が設けられている。一方、天井面（Ｒ）におけるケーシング（１０）の第２パネル（１２）近傍には、メンテナンス時に作業員により開閉される第２の点検用マンホール（Ｈ２）が設けられている。
【００５７】
−運転動作−
上記調湿装置の運転動作について説明する。この調湿装置は、除湿運転と加湿運転とを切り換えて行う。また、この調湿装置は、第１動作と第２動作とを交互に繰り返すことによって除湿運転や加湿運転を行う。
【００５８】
《除湿運転》
図１，図２に示すように、除湿運転時において、第２吹出ファン（９６）を駆動すると、室外空気（ＯＡ）が室外側吸込用ダクト（１１３）及び第１吸込口（１３）を通じてケーシング（１０）内に取り込まれる。この室外空気は、第１の被処理空気として第１吸込側流路（４２）へ流入する。一方、第１吹出ファン（９５）を駆動すると、室内空気（ＲＡ）が室内側吸込用ダクト（１１５）及び第２吸込口（１５）を通じてケーシング（１０）内に取り込まれる。この室内空気は、第２の被処理空気として第２吸込側通路（４４）へ流入する。
【００５９】
また、除湿運転時において、冷媒回路では、再生熱交換器（１０２）が凝縮器となり、第２熱交換器（１０４）が蒸発器となる一方、第１熱交換器（１０３）が休止している。
【００６０】
除湿運転の第１動作について、図１，図５を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着材が再生される。
【００６１】
図１に示すように、右側仕切板（２０）では、第１右側開口（２１）と第１右下開口（２３）とが連通状態となり、残りの開口（２２，２４，２５，２６）が遮断状態となる。左側仕切板（３０）では、第１左上開口（３４）と第２左下開口（３５）とが連通状態となり、残りの開口（３１，３２，３３，３６）が遮断状態となる。また、第１シャッタ（６１）は閉鎖状態となり、第２シャッタ（６２）は開口状態となる。
【００６２】
第１の被処理空気は、第１吸込側流路（４２）から第１左上開口（３４）を通って第１上部流路（５４）へ流入する。一方、第２の被処理空気は、第２吸込側流路（４４）から第１右側開口（２１）を通って第１流路（５１）へ流入する。
【００６３】
図５（ａ）にも示すように、第１上部流路（５４）の第１の被処理空気は、第１吸着素子（８１）の調湿側通路（８５）へ流入する。この調湿側通路（８５）を流れる間に、第１の被処理空気に含まれる水蒸気が吸着材に吸着される。第１吸着素子（８１）で減湿された第１の被処理空気は、第１下部流路（５３）へ流入する。
【００６４】
一方、第１流路（５１）の第２の被処理空気は、第１吸着素子（８１）の冷却側通路（８６）へ流入する。この冷却側通路（８６）を流れる間に、第２の被処理空気は、調湿側通路（８５）で水蒸気が吸着材に吸着される際に生じた吸着熱を吸熱する。吸着熱を奪った第２の被処理空気は、中央流路（５７）へ流入して再生熱交換器（１０２）を通過する。その際、再生熱交換器（１０２）では、第２の被処理空気が冷媒との熱交換によって加熱される。その後、第２の被処理空気は、中央流路（５７）から第２上部流路（５６）へ流入する。
【００６５】
第１吸着素子（８１）及び再生熱交換器（１０２）で加熱された第２の被処理空気は、第２吸着素子（８２）の調湿側通路（８５）へ導入される。この調湿側通路（８５）では、第２の被処理空気によって吸着材が加熱され、吸着材から水蒸気が脱離する。つまり、第２吸着素子（８２）の再生が行われる。吸着材から脱離した水蒸気は、第２の被処理空気と共に第２下部流路（５５）へ流入する。
【００６６】
図１に示すように、第１下部流路（５３）へ流入した減湿後の第１の被処理空気は、第１右下開口（２３）を通って第２吹出側流路（４３）へ流入する。この第１の被処理空気は、第２吹出側流路（４３）を流れる間に第２熱交換器（１０４）を通過し、冷媒との熱交換によって冷却される。その後、減湿されて冷却された第１の被処理空気は、第１吹出口（１４）及び室内側吹出用ダクト（１１４）を通って室内へ供給される。
【００６７】
一方、第２下部流路（５５）へ流入した第２の被処理空気は、第２左下開口（３５）を通って第１吹出側流路（４１）へ流入する。この第２の被処理空気は、第１吹出側流路（４１）を流れる間に第１熱交換器（１０３）を通過する。その際、第１熱交換器（１０３）は休止しており、第２の被処理空気は加熱も冷却もされない。そして、第１吸着素子（８１）の冷却と第２吸着素子（８２）の再生に利用された第２の被処理空気は、第２吹出口（１６）及び室外側吹出用ダクト（１１６）を通って室外へ排出される。
【００６８】
除湿運転の第２動作について、図２，図５を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着材が再生される。
【００６９】
図２に示すように、右側仕切板（２０）では、第２右側開口（２２）と第２右下開口（２５）とが連通状態となり、残りの開口（２１，２３，２４，２６）が遮断状態となる。左側仕切板（３０）では、第２左上開口（３６）と第１左下開口（３３）とが連通状態となり、残りの開口（３１，３２，３４，３５）が遮断状態となる。第１シャッタ（６１）は開口状態となり、第２シャッタ（６２）は閉鎖状態となる。この状態では、中央流路（５７）と第１上部流路（５４）とが、第１シャッタ（６１）を介して連通される。
【００７０】
第２の被処理空気は、第２吸込側流路（４４）から第２右側開口（２２）を通って第２流路（５２）へ流入する。一方、第１の被処理空気は、第１吸込側流路（４２）から第２左上開口（３６）を通って第２上部流路（５６）へ流入する。
【００７１】
図５（ｂ）にも示すように、第２上部流路（５６）の第１の被処理空気は、第２吸着素子（８２）の調湿側通路（８５）へ流入する。この調湿側通路（８５）を流れる間に、第１の被処理空気に含まれる水蒸気が吸着材に吸着される。第２吸着素子（８２）で減湿された第１の被処理空気は、第２下部流路（５５）へ流入する。
【００７２】
一方、第２流路（５２）の第２の被処理空気は、第２吸着素子（８２）の冷却側通路（８６）へ流入する。この冷却側通路（８６）を流れる間に、第２の被処理空気は、調湿側通路（８５）で水蒸気が吸着材に吸着される際に生じた吸着熱を吸熱する。吸着熱を奪った第２の被処理空気は、中央流路（５７）へ流入して再生熱交換器（１０２）を通過する。その際、再生熱交換器（１０２）では、第２の被処理空気が冷媒との熱交換によって加熱される。その後、第２の被処理空気は、中央流路（５７）から第１上部流路（５４）へ流入する。
【００７３】
第２吸着素子（８２）及び再生熱交換器（１０２）で加熱された第２の被処理空気は、第１吸着素子（８１）の調湿側通路（８５）へ導入される。この調湿側通路（８５）では、第２の被処理空気によって吸着材が加熱され、吸着材から水蒸気が脱離する。つまり、第１吸着素子（８１）の再生が行われる。吸着材から脱離した水蒸気は、第２の被処理空気と共に第１下部流路（５３）へ流入する。
【００７４】
図２に示すように、第２下部流路（５５）へ流入した減湿後の第１の被処理空気は、第２右下開口（２５）を通って第２吹出側流路（４３）へ流入する。この第１の被処理空気は、第２吹出側流路（４３）を流れる間に右側左右仕切板（２９）により、第２熱交換器（１０４）に誘導される。そして、第１の被処理空気は、第２熱交換器（１０４）を通過し、冷媒との熱交換によって冷却される。その後、減湿されて冷却された第１の被処理空気は、第１吹出口（１４）及び室内側吹出用ダクト（１１４）を通って室内へ供給される。
【００７５】
一方、第１下部流路（５３）へ流入した第２の被処理空気は、第１左下開口（３３）を通って第１吹出側流路（４１）へ流入する。この第２の被処理空気は、第１吹出側流路（４１）を流れる間に左側左右仕切板（３９）により、第１熱交換器（１０３）に誘導される。そして、第２の被処理空気は、第１熱交換器（１０３）を通過する。その際、第１熱交換器（１０３）は休止しており、第２の被処理空気は加熱も冷却もされない。そして、第１吸着素子（８１）の冷却と第２吸着素子（８２）の再生に利用された第２の被処理空気は、第２吹出口（１６）及び室外側吹出用ダクト（１１６）を通って室外へ排出される。
【００７６】
《加湿運転》
図３，図４に示すように、加湿運転時において、第２吹出ファン（９６）を駆動すると、室外空気（ＯＡ）が室外側吸込用ダクト（１１３）及び第１吸込口（１３）を通じてケーシング（１０）内に取り込まれる。この室外空気は、第２の被処理空気として第１吸込側流路（４２）へ流入する。一方、第１吹出ファン（９５）を駆動すると、室内空気（ＲＡ）が室内側吸込用ダクト（１１５）及び第２吸込口（１５）を通じてケーシング（１０）内に取り込まれる。この室内空気は、第１の被処理空気として第２吸込側流路（４４）へ流入する。
【００７７】
また、加湿運転時において、冷媒回路では、再生熱交換器（１０２）が凝縮器となり、第１熱交換器（１０３）が蒸発器となる一方、第２熱交換器（１０４）が休止している。
【００７８】
加湿運転の第１動作について、図３，図５を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着材が水蒸気を吸着する。
【００７９】
図３に示すように、右側仕切板（２０）では、第２右下開口（２５）と第１右上開口（２４）とが連通状態となり、残りの開口（２１，２２，２３，２６）が遮断状態となる。左側仕切板（３０）では、第１左側開口（３１）と第１左下開口（３３）とが連通状態となり、残りの開口（３２，３４，３５，３６）が遮断状態となる。また、第１シャッタ（６１）は閉鎖状態となり、第２シャッタ（６２）は開口状態となる。
【００８０】
第１の被処理空気は、第２吸込側流路（４４）から第１右上開口（２４）を通って第１上部流路（５４）へ流入する。一方、第２の被処理空気は、第１吸込側流路（４２）から第１左側開口（３１）を通って第１流路（５１）へ流入する。
【００８１】
図５（ａ）にも示すように、第１上部流路（５４）の第１の被処理空気は、第１吸着素子（８１）の調湿側通路（８５）へ流入する。この調湿側通路（８５）を流れる間に、第１の被処理空気に含まれる水蒸気が吸着材に吸着される。第１吸着素子（８１）で水分を奪われた第１の被処理空気は、第１下部流路（５３）へ流入する。
【００８２】
一方、第１流路（５１）の第２の被処理空気は、第１吸着素子（８１）の冷却側通路（８６）へ流入する。この冷却側通路（８６）を流れる間に、第２の被処理空気は、調湿側通路（８５）で水蒸気が吸着材に吸着される際に生じた吸着熱を吸熱する。吸着熱を奪った第２の被処理空気は、中央流路（５７）へ流入して再生熱交換器（１０２）を通過する。その際、再生熱交換器（１０２）では、第２の被処理空気が冷媒との熱交換によって加熱される。その後、第２の被処理空気は、中央流路（５７）から第２上部流路（５６）へ流入する。
【００８３】
第１吸着素子（８１）及び再生熱交換器（１０２）で加熱された第２の被処理空気は、第２吸着素子（８２）の調湿側通路（８５）へ導入される。この調湿側通路（８５）では、第２の被処理空気によって吸着材が加熱され、吸着材から水蒸気が脱離する。つまり、第２吸着素子（８２）の再生が行われる。そして、吸着材から脱離した水蒸気が第２の被処理空気に付与され、第２の被処理空気が加湿される。第２吸着素子（８２）で加湿された第２の被処理空気は、その後に第２下部流路（５５）へ流入する。
【００８４】
図３に示すように、第２下部流路（５５）へ流入した第２の被処理空気は、第２右下開口（２５）を通って第２吹出側流路（４３）へ流入する。この第２の被処理空気は、第２吹出側流路（４３）を流れる間に右側左右仕切板（２９）により、第２熱交換器（１０４）に誘導される。そして、第２の被処理空気は、第２熱交換器（１０４）を通過する。その際、第２熱交換器（１０４）は休止しており、第２の被処理空気は加熱も冷却もされない。そして、加湿された第２の被処理空気は、第１吹出口（１４）及び室内側吹出用ダクト（１１４）を通って室内へ供給される。
【００８５】
一方、第１下部流路（５３）へ流入した第１の被処理空気は、第１左下開口（３３）を通って第１吹出側流路（４１）へ流入する。この第１の被処理空気は、第１吹出側流路（４１）を流れる間に左側左右仕切板（３９）により、第１熱交換器（１０３）に誘導される。そして、第１の被処理空気は、第１熱交換器（１０３）を通過し、冷媒との熱交換によって冷却される。その後、水分と熱を奪われた第１の被処理空気は、第２吹出口（１６）及び室外側吹出用ダクト（１１６）を通って室外へ排出される。
【００８６】
加湿運転の第２動作について、図４，図５を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着材が水蒸気を吸着する。
【００８７】
図４に示すように、右側仕切板（２０）では、第２右上開口（２６）と第１右下開口（２３）とが連通状態となり、残りの開口（２１，２２，２４，２５）が遮断状態となる。左側仕切板（３０）では、第２左側開口（３２）と第２左下開口（３５）とが連通状態となり、残りの開口（３１，３３，３４，３６）が遮断状態となる。第２シャッタ（６２）は閉鎖状態となり、第１シャッタ（６１）は開口状態となる。
【００８８】
第１の被処理空気は、第２吸込側流路（４４）へ流入し、第２右上開口（２６）を通って第２上部流路（５６）へ流入する。一方、第２の被処理空気は、第１吸込側流路（４２）から第２左側開口（３２）を通って第２流路（５２）へ流入する。
【００８９】
図５（ｂ）にも示すように、第２上部流路（５６）の第１の被処理空気は、第２吸着素子（８２）の調湿側通路（８５）へ流入する。この調湿側通路（８５）を流れる間に、第１の被処理空気に含まれる水蒸気が吸着材に吸着される。第２吸着素子（８２）で水分を奪われた第１の被処理空気は、第２下部流路（５５）へ流入する。
【００９０】
一方、第２流路（５２）の第２の被処理空気は、第２吸着素子（８２）の冷却側通路（８６）へ流入する。この冷却側通路（８６）を流れる間に、第２の被処理空気は、調湿側通路（８５）で水蒸気が吸着材に吸着される際に生じた吸着熱を吸熱する。吸着熱を奪った第２の被処理空気は、中央流路（５７）へ流入して再生熱交換器（１０２）を通過する。その際、再生熱交換器（１０２）では、第２の被処理空気が冷媒との熱交換によって加熱される。その後、第２の被処理空気は、中央流路（５７）から第１上部流路（５４）へ流入する。
【００９１】
第２吸着素子（８２）及び再生熱交換器（１０２）で加熱された第２の被処理空気は、第１吸着素子（８１）の調湿側通路（８５）へ導入される。この調湿側通路（８５）では、第２の被処理空気によって吸着材が加熱され、吸着材から水蒸気が脱離する。つまり、第１吸着素子（８１）の再生が行われる。そして、吸着材から脱離した水蒸気が第２の被処理空気に付与され、第２の被処理空気が加湿される。第１吸着素子（８１）で加湿された第２の被処理空気は、その後に第１下部流路（５３）へ流入する。
【００９２】
図４に示すように、第１下部流路（５３）へ流入した第２の被処理空気は、第１右下開口（２３）を通って第２吹出側流路（４３）へ流入する。この第２の被処理空気は、第２吹出側流路（４３）を流れる間に第２熱交換器（１０４）を通過する。その際、第２熱交換器（１０４）は休止しており、第２の被処理空気は加熱も冷却もされない。そして、加湿された第２の被処理空気は、第１吹出口（１４）及び室内側吹出用ダクト（１１４）を通って室内へ供給される。
【００９３】
一方、第２下部流路（５５）へ流入した第１の被処理空気は、第２左下開口（３５）を通って第１吹出側流路（４１）へ流入する。この第１の被処理空気は、第１吹出側流路（４１）を流れる間に第１熱交換器（１０３）を通過し、冷媒との熱交換によって冷却される。その後、水分と熱を奪われた第１の被処理空気は、第２吹出口（１６）及び室外側吹出用ダクト（１１６）を通って室外へ排出される。
【００９４】
−メンテナンス−
次に、本実施形態１の調湿装置のメンテナンス方法について説明する。図９に示すように、調湿装置のメンテナンスを行う際に、冷媒回路を取り出すには、作業員は第１点検用マンホール（Ｈ１）を開ける。このことにより調湿装置の第１パネル（１１）側での作業が可能となる。
【００９５】
そして、図８にも示すように、まず第１パネル（１１）の第１の点検用蓋（１２１）を取り外す。このことで、図９に矢印で示すように、まず第１吹出ファン（９５）が第１の点検用蓋（１２１）と共にケーシング（１０）外に取り出される。さらに、冷媒回路と第２吸着素子（８２）とが取り出せるようになる。
【００９６】
左側上下仕切板（３８）は中央流路（５７）に対応するように前後に３分割されている。この左側上下仕切板（３８）の中央部分をケーシング（１０）外に取り出す。次いで、冷媒回路の再生熱交換器（１０２）、第１熱交換器（１０３）、第２熱交換器（１０４）及び圧縮機（１０１）は、配管でつながれたままの状態で、支持部材（７１）ごと左側にスライドしてケーシング（１０）外に引き出される。その後に、再生熱交換器（１０２）、第１熱交換器（１０３）、第２熱交換器（１０４）及び圧縮機（１０１）は、天井裏から床上に移されて足場の良いところでメンテナンスが行われる。つまり、圧縮機（１０１）の交換作業や、熱交換器（１０２，１０３，１０４）の洗浄作業などが行われる。なお、左側上下仕切板（３８）を前後に３分割しなくてもよく、そのときは、左側上下仕切板（３８）を一度に取り出せばよい。
【００９７】
なお、第２吸着素子（８２）を取り出すときには、まず中央部で分割された左側（第１パネル（１１）側）を第２左側開口（３２）、第２左下開口（３５）及び第２左上開口（３６）の開閉シャッタと第２シャッタ（６２）と共に左側に引き出して取り出す。次に、第２吸着素子（８２）の右側（第２パネル（１２）側）を一体に取り付けられた各開口（２２，２５，２６）の開閉シャッタと第２シャッタ（６２）と共に左側に引き出して取り出す。
【００９８】
一方、第２パネル（１２）側でも同様の点検が行える。すなわち、作業員は第２点検用マンホール（Ｈ２）を開けることにより調湿装置の第２パネル（１２）側での作業が可能となる。そして、まず第２パネル（１２）の第２の点検用蓋（１２２）を取り外す。このことで、まず、第２吹出ファン（９６）が第２の点検用蓋（１２２）と共にケーシング（１０）外に取り出される。次に、第１吸着素子（８１）が第２吸着素子（８２）と同様に取り出される。
【００９９】
なお、冷媒回路を支持部材（７１）ごと第２の点検用蓋（１２２）から取り出せるようにしてもよく、第１の点検用蓋（１２１）及び第２の点検用蓋（１２２）のどちらから取り出せるようにしてもよい。
【０１００】
−実施形態１の効果−
本実施形態に係る調湿装置では、熱交換器（１０２，１０３，１０４）や圧縮機（１０１）が配管を介して接続された冷媒回路が設けられており、この冷媒回路は、支持部材（７１）に固定されることによって全体が一体化されている。そして、この調湿装置では、一体化された冷媒回路の全体が支持部材（７１）ごとケーシング（１０）に対して着脱自在となっている。したがって、冷媒回路をメンテナンスする際には支持部材（７１）ごと冷媒回路全体をケーシング（１０）から取り出すことができ、配管を切断したり、圧縮機（１０１）等を配管に接続し直すといった複雑な作業をケーシング（１０）の外部で行うことが可能となる。このため、作業者は広いスペースにおいて楽な姿勢で作業を行うことが可能となり、冷媒回路のメンテナンス作業が非常に容易になる。
【０１０１】
本実施形態によれば、配管を切断することなく、冷媒回路の全体を吸着素子（８１，８２）の長手方向へ移動させてケーシング（１０）から取り出すことができる。したがって、冷媒回路のメンテナンスに要する工数を更に削減できる。
【０１０２】
（実施形態２）
本実施形態２では、図１〜図８と同じ部分については同じ符号を付してその詳細な説明は省略する。本実施形態に係る調湿装置は、支持部材（７１）がケーシングの下側パネル（１９）に対して着脱可能な点検用蓋を兼ねている点で、上記実施形態１と異なる。
【０１０３】
すなわち、図１０に示すように、第１及び第２熱交換器（１０３，１０４）は、吸着素子（８２）間を通過する必要はないので、上記実施形態１に係る調湿装置のものに比べて大きなものとすることができる。そして、支持部材（７１）も第１及び第２熱交換器（１０３，１０４）に合わせた大きさとすればよい。この支持部材（７１）に冷媒回路の熱交換器（１０２，１０３，１０４）及び圧縮機（１０１）が載置されている。
【０１０４】
図１１に示すように、本実施形態に係る調湿装置は、そのケーシング（１０）の下側パネル（１９）が室内に露出するように、天井裏に設けられる。上記支持部材（７１）は、ケーシング（１０）の下側パネル（１９）に対して着脱可能な点検用蓋を兼ねている。
【０１０５】
−メンテナンス−
次に、実施形態２に係る調湿装置のメンテナンス方法について説明する。図１１に矢印で示すように、調湿装置のメンテナンスを行う際に、冷媒回路を取り出すには、作業員は、点検用蓋（支持部材（７１））を開いて、下方へ移動させる。このことにより、冷媒回路が支持部材（７１）と共に一体にケーシング（１０）外に取り出される。その後に、冷媒回路の再生熱交換器（１０２）、第１熱交換器（１０３）、第２熱交換器（１０４）及び圧縮機（１０１）は、天井裏から床上に移されて足場の良いところでメンテナンスが行われる。
【０１０６】
なお、冷媒回路と共に、支持部材（７１）をケーシング（１０）から外した状態では、ケーシング（１０）の下面に開いた開口から吸着素子（８１，８２）を取り出すこともできる。
【０１０７】
−実施形態２の効果−
本実施形態に係る調湿装置では、冷媒回路の熱交換器（１０２，１０３，１０４）及び圧縮機（１０１）が支持部材（７１）に載置されているため、配管を切断することなく、冷媒回路の全体を支持部材（７１）ごとケーシング（１０）の下方へ抜き出すことができる。このため、調湿装置が天井裏などの高所に設置されているので、冷媒回路のメンテナンスに要する工数を大幅に削減できる。
【０１０８】
本実施形態に係る調湿装置では、支持部材（７１）をケーシング（１０）の下側パネル（１９）に対して着脱可能な点検用蓋を兼ねるものとしている。このため、支持部材（７１）をケーシング（１０）の底部（１９）から取り外すと、支持部材（７１）の移動と共に冷媒回路がケーシング（１０）外に取り出される。したがって、下方からの冷媒回路のメンテナンス作業が非常に容易となる。
【０１０９】
（実施形態３）
本実施形態３では、図１〜図８と同じ部分については同じ符号を付してその詳細な説明は省略する。また、本実施形態の説明において、「上」  「下」  「左」  「右」  「前」  「後」  「手前」  「奥」  は、特にことわらない限り、図１２に示す調湿装置を正面側（同図の下側）から見た場合のものを意味している。
【０１１０】
なお、図１２〜図１５において、（Ｂ）は正面図を表し、（Ａ）及び（Ｃ）は、理解しやすくするために、それぞれ左側から見た左側仕切板（３０）及び右側から見た右側仕切板（２０）を表している。また、（Ｂ）においては、右側上下仕切板（２８）及び左側上下仕切板（３８）を一部破断して被処理空気の流れを示している。
【０１１１】
図１２に示すように、上記調湿装置は、やや扁平な直方体状のケーシング（１０）を備えている。このケーシング（１０）には、２つの吸着素子（８１，８２）と、冷媒回路とが収納されている。冷媒回路は、上記実施形態１に係る調湿装置と同様に支持部材（７１）に固定されることによってその全体が一体化されている。
【０１１２】
ケーシング（１０）において、最も手前側には第１パネル（１１１）が設けられ、該第１パネル（１１１）に対向する最も奥側の位置には第２パネル（１１２）が設けられている。また、上記ケーシング（１０）において、第１パネル（１１１）に直交する右側の第３パネル（１１７）と、左側の第４パネル（１１８）が設けられている。第１パネル（１１１）には、その左端寄りの下部に第１吹出口（１４）が形成され、その右端寄りの下部に第２吹出口（１６）が形成されている。一方、第２パネル（１１２）には、その左端寄りに第２吸込口（１５）が形成され、その右端寄りに第１吸込口（１３）が形成されている。
【０１１３】
図１７に示すように、上記第４パネル（１１８）には、その一部がケーシング（１０）から取り外し可能な第１の点検用蓋（１２１）と第１素子点検用蓋（１３１）と第２素子点検用蓋（１３２）が設けられている。第１の点検用蓋（１２１）は、冷媒回路点検用蓋を構成している。同様に第１パネル（１１１）には、ファン点検用蓋（１４１）が設けられている。なお、第４パネル（１１８）の第１の点検用蓋（１２１）と第１素子点検用蓋（１３１）と第２素子点検用蓋（１３２）は一体でもよい。
【０１１４】
図１６及び図１８に示すように、天井面（Ｒ）におけるケーシング（１０）の第１パネル（１１１）近傍には、メンテナンス時に作業員により開閉される第１の点検用マンホール（Ｈ１）が設けられている。一方、天井面（Ｒ）におけるケーシング（１０）の第４パネル（１１８）近傍には、メンテナンス時に作業員により開閉される第２の点検用マンホール（Ｈ２）が設けられている。
【０１１５】
図１２に示すように、ケーシング（１０）の内部は、手前側の第１パネル（１１１）から奥側の第２パネル（１１２）へ向かう方向において３つの空間に仕切られている。ケーシング（１０）下面の前後方向中央部には細長い長方形板状の支持部材（７１）が配置されている。この支持部材（７１）は、その長辺がケーシング（１０）の左右幅とほぼ等しくなっており、この長辺がケーシング（１０）の第１及び第２パネル（１１１，１１２）と平行となる姿勢で設置されている。また、この支持部材（７１）は、ケーシング（１０）に対して左右方向にスライド可能となっている。
【０１１６】
ケーシング（１０）の第１パネル（１１１）寄りに形成された空間は、左右に２つの空間に仕切られている。この２つの空間のうち、右側の空間は第２吹出側流路（４３）を構成し、左側の空間は第１吹出側流路（４１）を構成している。
【０１１７】
第２吹出側流路（４３）は、第２吹出口（１６）に連通している。この第２吹出側流路（４３）には、第２のファンとしての第２吹出ファン（９６）が設置されている。第２吹出ファン（９６）は、その吹出側を第２吹出口（１６）に接続させるように上記第１パネル（１１１）のファン点検用蓋（１４１）の内側面に取り付けられている。
【０１１８】
一方、第１吹出側流路（４１）は、第１吹出口（１４）に連通している。この第１吹出側流路（４１）には、第１のファンとしての第１吹出ファン（９５）が設置されている。第１吹出ファン（９５）は、その吹出側を第１吹出口（１４）に接続させるように上記第１パネル（１１１）のファン点検用蓋（１４１）の内側面に取り付けられている。
【０１１９】
ケーシング（１０）の第２パネル（１１２）寄りに形成された空間は、吸込側仕切板（４８）によって左右に仕切られている。吸込側仕切板（４８）の右側の空間は吸込側右側流路（４５）を構成している。吸込側右側流路（４５）は、第１吸込口（１３）に連通している。一方、吸込側仕切板（４８）の左側の空間は吸込側左側流路（４７）を構成している。吸込側左側流路（４７）は、第２吸込口（１５）に連通している。
【０１２０】
ケーシング（１０）の奥行き方向の中央に形成された空間は、右側仕切板（２０）と左側仕切板（３０）とによって左右に３つの空間に仕切られている。
【０１２１】
右側仕切板（２０）の右側の空間は、右側上下仕切板（２８）によって上下に仕切られている。そして、この空間は、下側の空間が右下部流路（６５）を構成し、上側の空間が右上部流路（６６）を構成している。右下部流路（６５）は、第２吹出側流路（４３）と連通する一方、吸込側右側流路（４５）から仕切られている。右下部流路（６５）の前後方向中央部における支持部材（７１）には、第２熱交換器（１０４）が設けられる。さらに、右下部流路（６５）には右側左右仕切板（２９）が設けられる。この右側左右仕切板（２９）によって形成された流通経路を通って右下部流路（６５）に流入した被処理空気が第２熱交換器（１０４）に誘導され、第２吹出ファン（９６）へ向かって流れる。一方、右上部流路（６６）は、吸込側右側流路（４５）と連通する一方、第２吹出側流路（４３）から仕切られている。
【０１２２】
左側仕切板（３０）の左側の空間は、左側上下仕切板（３８）によって上下に仕切られている。そして、この空間は、下側の空間が左下部流路（６７）を構成し、上側の空間が左上部流路（６８）を構成している。左下部流路（６７）は、第１吹出側流路（４１）と連通する一方、吸込側左側流路（４７）から仕切られている。左下部流路（６７）の前後方向中央部における支持部材（７１）には第１熱交換器（１０３）が設けられる。さらに、左下部流路（６７）には左側左右仕切板（３９）が設けられる。この左側左右仕切板（３９）によって形成された流通経路を通って左下部流路（６７）に流入した被処理空気が第１熱交換器（１０３）に誘導され、第１吹出ファン（９５）へ向かって流れる。一方、左上部流路（６８）は、吸込側左側流路（４７）と連通する一方、第１吹出側流路（４１）から仕切られている。
【０１２３】
図５にも示すように、上記実施形態１と同様に、右側仕切板（２０）と左側仕切板（３０）の間には、２つの吸着素子（８１，８２）が設置されている。これら吸着素子（８１，８２）は、所定の間隔をおいてそれぞれの長手方向が第１パネル（１１１）の長手方向に沿う姿勢で互いに平行に並んでケーシング（１０）内に配置されている。具体的には、手前側の第１パネル（１１１）寄りに第１吸着素子（８１）が設けられ、奥側の第２パネル（１１２）寄りに第２吸着素子（８２）が設けられている。
【０１２４】
図５にも示すように、上記実施形態１に係る調湿装置と同様に、右側仕切板（２０）と左側仕切板（３０）の間の空間は、第１流路（５１）、第２流路（５２）、第１下部流路（５３）、第１上部流路（５４）、第２下部流路（５５）、第２上部流路（５６）、及び中央流路（５７）に区画されている。
【０１２５】
中央流路（５７）内の支持部材（７１）には、再生熱交換器（１０２）がほぼ垂直に立った状態で固定されている。図１２に示すように、中央流路（５７）内の再生熱交換器（１０２）の左端側の支持部材（７１）に冷媒回路の圧縮機（１０１）が固定されている。なお、本実施形態においても、再生熱交換器（１０２）は、ほぼ水平に寝かせた状態で配置してもよい。
【０１２６】
右側仕切板（２０）及び左側仕切板（３０）の構成も実施形態１と同じである。右側仕切板（２０）においては、第２右側開口（２２）の開閉シャッタが開いた状態では、第２流路（５２）と右上部流路（６６）が互いに連通する。第１右下開口（２３）の開閉シャッタが開いた状態では、第１下部流路（５３）と右下部流路（６５）が互いに連通する。第１右上開口（２４）の開閉シャッタが開いた状態では、第１上部流路（５４）と右上部流路（６６）が互いに連通する。第２右下開口（２５）の開閉シャッタが開いた状態では、第２下部流路（５５）と右下部流路（６５）が互いに連通する。第２右上開口（２６）の開閉シャッタが開いた状態では、第２上部流路（５６）と右上部流路（６６）が互いに連通する。
【０１２７】
左側仕切板（３０）においては、第１左側開口（３１）の開閉シャッタが開いた状態では、第１流路（５１）と左上部流路（６８）が互いに連通する。第２左側開口（３２）の開閉シャッタが開いた状態では、第２流路（５２）と左上部流路（６８）が互いに連通する。第１左下開口（３３）の開閉シャッタが開いた状態では、第１下部流路（５３）と左下部流路（６７）が互いに連通する。第１左上開口（３４）の開閉シャッタが開いた状態では、第１上部流路（５４）と左上部流路（６８）が互いに連通する。
【０１２８】
第２左下開口（３５）の開閉シャッタが開いた状態では、第２下部流路（５５）と左下部流路（６７）が互いに連通する。第２左上開口（３６）の開閉シャッタが開いた状態では、第２上部流路（５６）と左上部流路（６８）が互いに連通する。
【０１２９】
図１６に示すように、上記調湿装置は、第１吸込口（１３）及び第２吹出口（１６）が室外に連通して第２吸込口（１５）及び第１吹出口（１４）が室内に連通する状態で設置されている。
【０１３０】
具体的に、この調湿装置は、第１吸込口（１３）及び第２吹出口（１６）側の第３パネル（１１７）が室外側の壁面（Ｗ）の近傍に位置すると共に、第２吸込口（１５）及び第１吹出口（１４）側の第４パネル（１１８）が室内側に位置する設置される。このとき、第１パネル（１１１）において、第１吹出口（１４）には室内側吹出用ダクト（１１４）が接続され、第２吹出口（１６）には室外側吹出用ダクト（１１６）が接続されている。一方、第２パネル（１１２）の第１吸込口（１３）には室外側吸込用ダクト（１１３）が接続され、第２吸込口（１５）には室内側吸込用ダクト（１１５）が接続されている。
【０１３１】
−運転動作−
上記調湿装置でも、除湿運転と加湿運転とが切り換えて行われる。また、除湿運転中や加湿運転中において、調湿装置では、第１動作と第２動作とが交互に繰り返される。
【０１３２】
《除湿運転》
図１２，図１３に示すように、除湿運転時において、第１吹出ファン（９５）を駆動すると、室外空気（ＯＡ）が第１吸込口（１３）を通じてケーシング（１０）内に取り込まれる。この室外空気は、第１被処理空気として吸込側右側流路（４５）へ流入する。一方、第２吹出ファン（９６）を駆動すると、室内空気（ＲＡ）が第２吸込口（１５）を通じてケーシング（１０）内に取り込まれる。この室内空気は、第２空気として吸込側左側流路（４７）へ流入する。
【０１３３】
また、除湿運転時において、冷媒回路では、再生熱交換器（１０２）が凝縮器となり、第１熱交換器（１０３）が蒸発器となる一方、第２熱交換器（１０４）が休止している。
【０１３４】
除湿運転の第１動作について、図１２，図５を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着材が再生される。
【０１３５】
図１２に示すように、右側仕切板（２０）では、第１右上開口（２４）と第２右下開口（２５）とが連通状態となり、残りの開口（２１，２２，２３，２６）が遮断状態となる。左側仕切板（３０）では、第１左側開口（３１）と第１左下開口（３３）とが連通状態となり、残りの開口（３２，３４，３５，３６）が遮断状態となる。また、第１シャッタ（６１）は閉鎖状態となり、第２シャッタ（６２）は開口状態となっている。
【０１３６】
第１被処理空気は、吸込側右側流路（４５）から右上部流路（６６）へ流入し、その後に第１右上開口（２４）を通って第１上部流路（５４）へ流入する。一方、第２空気は、吸込側左側流路（４７）から左上部流路（６８）へ流入し、その後に第１左側開口（３１）を通って第１流路（５１）へ流入する。
【０１３７】
図５（ａ）にも示すように、この後の第１被処理空気と第２被処理空気の流れは上記実施形態１における除湿運転の第１動作と同じである。
【０１３８】
図１２に示すように、第１下部流路（５３）へ流入した減湿後の第１被処理空気は、第１左下開口（３３）を通って左下部流路（６７）へ流入する。この第１被処理空気は、左下部流路（６７）を流れる間に左側仕切板（３９）に誘導されて第１熱交換器（１０３）を通過し、その際に冷媒との熱交換によって冷却される。その後に第１吹出側流路（４１）へ流入する。そして、減湿されて冷却された第１被処理空気は、第１吹出口（１４）に接続された室内側吹出用ダクト（１１４）を通って室内へ供給される。
【０１３９】
一方、第２下部流路（５５）へ流入した第２被処理空気は、第２右下開口（２５）を通って右下部流路（６５）へ流入する。この第２被処理空気は、右下部流路（６５）を流れる間に右側左右仕切板（２９）に誘導されて第２熱交換器（１０４）を通過する。その際、第２熱交換器（１０４）は休止しており、第２被処理空気は加熱も冷却もされない。その後に第２被処理空気は第２吹出側流路（４３）へ流入する。そして、第１吸着素子（８１）の冷却と第２吸着素子（８２）の再生に利用された第２被処理空気は、第２吹出口（１６）に接続された室外側吹出用ダクト（１１６）を通って室外へ排出される。
【０１４０】
除湿運転の第２動作について、図１３，図５を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着材が再生される。
【０１４１】
図１３に示すように、右側仕切板（２０）では、第１右下開口（２３）と第２右上開口（２６）とが連通状態となり、残りの開口（２１，２２，２４，２５）が遮断状態となる。左側仕切板（３０）では、第２左側開口（３２）と第２左下開口（３５）とが連通状態となり、残りの開口（３１，３３，３４，３６）が遮断状態となる。また、第２シャッタ（６２）は閉鎖状態となり、第１シャッタ（６１）は開口状態となっている。
【０１４２】
第１被処理空気は、吸込側右側流路（４５）から右上部流路（６６）へ流入し、その後に第２右上開口（２６）を通って第２上部流路（５６）へ流入する。一方、第２被処理空気は、吸込側左側流路（４７）から左上部流路（６８）へ流入し、その後に第２左側開口（３２）を通って第２流路（５２）へ流入する。
【０１４３】
図５（ｂ）にも示すように、この後の第１被処理空気と第２被処理空気の流れは上記実施形態１における除湿運転の第２動作と同じである。
【０１４４】
図１３に示すように、第２下部流路（５５）へ流入した減湿後の第１被処理空気は、第２左下開口（３５）を通って左下部流路（６７）へ流入し、この第１被処理空気は、左下部流路（６７）を流れる間に左側仕切板（３９）に誘導されて第１熱交換器（１０３）を通過し、その際に冷媒との熱交換によって冷却される。その後に第１吹出側流路（４１）へ流入する。そして、減湿されて冷却された第１被処理空気は、第１吹出口（１４）に接続された室内側吹出用ダクト（１１４）を通って室内へ供給される。
【０１４５】
一方、第１下部流路（５３）へ流入した第２被処理空気は、第１右下開口（２３）を通って右下部流路（６５）へ流入する。この第２被処理空気は、右下部流路（６５）を流れる間に右側左右仕切板（２９）に誘導されて第２熱交換器（１０４）を通過する。その際、第２熱交換器（１０４）は休止しており、第２被処理空気は加熱も冷却もされない。その後に第２被処理空気は第２吹出側流路（４３）へ流入する。そして、第１吸着素子（８１）の冷却と第２吸着素子（８２）の再生に利用された第２被処理空気は、第２吹出口（１６）に接続された室外側吹出用ダクト（１１６）を通って室外へ排出される。
【０１４６】
《加湿運転》
図１４，図１５に示すように、加湿運転時において、第１吹出ファン（９５）を駆動すると、室外空気（ＯＡ）が第１吸込口（１３）を通じてケーシング（１０）内に取り込まれる。この室外空気は、第２被処理空気として吸込側右側流路（４５）へ流入する。一方、第２吹出ファン（９６）を駆動すると、室内空気（ＲＡ）が第２吸込口（１５）を通じてケーシング（１０）内に取り込まれる。この室内空気は、第１被処理空気として吸込側左側流路（４７）へ流入する。
【０１４７】
また、加湿運転時において、冷媒回路では、再生熱交換器（１０２）が凝縮器となり、第２熱交換器（１０４）が蒸発器となる一方、第１熱交換器（１０３）が休止している。
【０１４８】
加湿運転の第１動作について、図１４，図５を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着材が水蒸気を吸着する。
【０１４９】
図１４に示すように、右側仕切板（２０）では、第１右側開口（２１）と第１右下開口（２３）とが連通状態となり、残りの開口（２２，２４，２５，２６）が遮断状態となる。左側仕切板（３０）では、第１左上開口（３４）と第２左下開口（３５）とが連通状態となり、残りの開口（３１，３２，３３，３６）が遮断状態となる。また、第１シャッタ（６１）は閉鎖状態となり、第２シャッタ（６２）は開口状態となっている。
【０１５０】
第１被処理空気は、吸込側左側流路（４７）から左上部流路（６８）へ流入し、その後に第１左上開口（３４）を通って第１上部流路（５４）へ流入する。一方、第２被処理空気は、吸込側右側流路（４５）から右上部流路（６６）へ流入し、その後に第１右側開口（２１）を通って第１流路（５１）へ流入する。
【０１５１】
図５（ａ）にも示すように、この後の第１被処理空気と第２被処理空気の流れは上記実施形態１における加湿運転の第１動作と同じである。
【０１５２】
図１４に示すように、第２下部流路（５５）へ流入した第２被処理空気は、第２左下開口（３５）を通って左下部流路（６７）へ流入する。この第１被処理空気は、左下部流路（６７）を流れる間に左側仕切板（３９）に誘導されて第１熱交換器（１０３）を通過する。その際、第１熱交換器（１０３）は休止しており、第２被処理空気は加熱も冷却もされない。第１被処理空気は、その後に第１吹出側流路（４１）へ流入する。そして、加湿された第２被処理空気は、第１吹出口（１４）に接続された室内側吹出用ダクト（１１４）を通って室内へ供給される。
【０１５３】
一方、第１下部流路（５３）へ流入した第１被処理空気は、第１右下開口（２３）を通って右下部流路（６５）へ流入する。この第２被処理空気は、右下部流路（６５）を流れる間に右側左右仕切板（２９）に誘導されて第２熱交換器（１０４）を通過する。その際、第２被処理空気は冷媒との熱交換によって冷却される。その後に第２被処理空気は第２吹出側流路（４３）へ流入する。その後、水分と熱を奪われた第１被処理空気は、第２吹出口（１６）に接続された室外側吹出用ダクト（１１６）を通って室外へ排出される。
【０１５４】
加湿運転の第２動作について、図１５，図５を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着材が水蒸気を吸着する。
【０１５５】
図１５に示すように、右側仕切板（２０）では、第２右側開口（２２）と第２右下開口（２５）とが連通状態となり、残りの開口（２１，２３，２４，２６）が遮断状態となる。左側仕切板（３０）では、第１左下開口（３３）と第２左上開口（３６）とが連通状態となり、残りの開口（３１，３２，３４，３５）が遮断状態となる。また、第２シャッタ（６２）は閉鎖状態となり、第１シャッタ（６１）は開口状態となる。
【０１５６】
第１被処理空気は、吸込側左側流路（４７）から左上部流路（６８）へ流入し、その後に第２左上開口（３６）を通って第２上部流路（５６）へ流入する。一方、第２被処理空気は、吸込側右側流路（４５）から右上部流路（６６）へ流入し、その後に第２右側開口（２２）を通って第２流路（５２）へ流入する。
【０１５７】
図５（ｂ）にも示すように、この後の第１被処理空気と第２被処理空気の流れは上記実施形態１における加湿運転の第２動作と同じである。
【０１５８】
図１５に示すように、第１下部流路（５３）へ流入した第２被処理空気は、第１左下開口（３３）を通って左下部流路（６７）へ流入する。この第２被処理空気は、左下部流路（６７）を流れる間に左側仕切板（３９）に誘導されて第１熱交換器（１０３）を通過する。その際、第１熱交換器（１０３）は休止しており、第２被処理空気は加熱も冷却もされない。その後に第２被処理空気は第１吹出側流路（４１）へ流入する。そして、加湿された第２被処理空気は、第１吹出口（１４）に接続された室内側吹出用ダクト（１１４）を通って室内へ供給される。
【０１５９】
一方、第２下部流路（５５）へ流入した第１被処理空気は、第２右下開口（２５）を通って右下部流路（６５）へ流入する。この第１被処理空気は、右下部流路（６５）を流れる間に右側左右仕切板（２９）に誘導されて第２熱交換器（１０４）を通過し、冷媒との熱交換によって冷却される。その後に第１被処理空気は第２吹出側流路（４３）へ流入する。そして、水分と熱を奪われた第１被処理空気は、第２吹出口（１６）に接続された室外側吹出用ダクト（１１６）を通って室外へ排出される。
【０１６０】
−メンテナンス−
次に、本実施形態の調湿装置のメンテナンス方法について説明する。図１８に示すように、調湿装置のメンテナンスを行う際に、冷媒回路を取り出すときには、作業員は第２点検用マンホール（Ｈ２）を開ける。このことにより調湿装置の第４パネル（１１８）側での作業が可能となる。
【０１６１】
まず、第４パネル（１１８）の第１の点検用蓋（１２１）を取り外し、次に左側上下仕切板（３８）をケーシング（１０）外に取り出す。次いで、冷媒回路の再生熱交換器（１０２）、第１熱交換器（１０３）、第２熱交換器（１０４）及び圧縮機（１０１）は、配管でつながれたままの状態で、支持部材（７１）ごと左側にスライドしてケーシング（１０）外に引き出される。その後に、再生熱交換器（１０２）、第１熱交換器（１０３）、第２熱交換器（１０４）及び圧縮機（１０１）は、天井裏から床上に移されて足場の良いところでメンテナンスが行われる。つまり、圧縮機（１０１）の交換作業や、熱交換器（１０２，１０３，１０４）の洗浄作業などが行われる。
【０１６２】
なお、第１吸着素子（８１）を取り出すときには、第４パネル（１１８）の第１素子点検用蓋（１３１）を取り外す。そのことで第１吸着素子（８１）をケーシング（１０）から取り出させる。第２吸着素子（８２）を取り出すには、第４パネル（１１８）の第２素子点検用蓋（１３２）を取り外した後に第２吸着素子（８２）を取り出す。
【０１６３】
また、ファン（９５，９６）を取り出すには、作業員は第１点検用マンホール（Ｈ１）を開ける。このことにより調湿装置の第１パネル（１１１）側での作業が可能となる。ケーシング（１０）からファン点検用蓋（１４１）を取り外すと、図１８に矢印で示すように、ファン点検用蓋（１４１）に取り付けられた第１吹出ファン（９５）及び第２吹出ファン（９６）がケーシング（１０）外に取り出される。
【０１６４】
（実施形態４）
本実施形態４では、図１２〜図１７と同じ部分については同じ符号を付してその詳細な説明は省略する。本実施形態に係る調湿装置は、支持部材（７１）がケーシングの下側パネル（１９）に対して着脱可能な点検用蓋を兼ねている点で、上記実施形態３と異なる。すなわち、図２０に示すように、第１及び第２熱交換器（１０３，１０４）は、吸着素子（８２）間を通過する必要はないので、上記実施形態３に係る調湿装置のものに比べて大きなものとすることができる。そして、支持部材（７１）も第１及び第２熱交換器（１０３，１０４）に合わせた大きさとすればよい。
【０１６５】
本実施形態に係る調湿装置は、図１９に示すように、そのケーシング（１０）の下側パネル（１９）が室内に露出するように、天井裏に設けられる。上記支持部材（７１）は、ケーシング（１０）の下側パネル（１９）に対して着脱可能な点検用蓋を兼ねている。
【０１６６】
−メンテナンス−
次に、実施形態４に係る調湿装置のメンテナンス方法について説明する。図１９に矢印で示すように、調湿装置のメンテナンスを行う際に、冷媒回路を取り出すには、作業員は、点検用蓋（支持部材（７１））を開いて下方に移動させる。このことにより、冷媒回路が支持部材（７１）と共に一体にケーシング（１０）外に取り出される。その後に、冷媒回路の再生熱交換器（１０２）、第１熱交換器（１０３）、第２熱交換器（１０４）及び圧縮機（１０１）は、天井裏から床上に移されて足場の良いところでメンテナンスが行われる。
【０１６７】
なお、冷媒回路が取り出された後に、支持部材（７１）を外した状態で吸着素子が下側から露出されるので、下側から吸着素子（８１，８２）を取り出すこともできる。
【０１６８】
（その他の実施形態）
上記実施形態１〜４では、第１吹出ファン（９５）及び第２吹出ファン（９６）を、点検用蓋の内側面に取り付けるようにしたが、必ずしも点検用蓋の内側面に取り付けなくてもよい。
【０１６９】
また、上記実施形態１及び２では、第１及び第２吸着素子（８１，８２）に一体に開閉シャッタを取り付けたが、別体に設けてもよい。このときは、開閉シャッタを吸着素子（８１，８２）と別々に取り外せばよい。
【０１７０】
【発明の効果】
以上説明したように、請求項１の発明の調湿装置では、熱交換器（１０２，１０３，１０４）や圧縮機（１０１）が配管を介して接続された冷媒回路が設けられており、この冷媒回路は、支持部材（７１）に固定されることによって全体が一体化されている。そして、この調湿装置では、一体化された冷媒回路の全体が支持部材（７１）ごとケーシング（１０）に対して着脱自在となっている。したがって、冷媒回路をメンテナンスする際には支持部材（７１）ごと冷媒回路全体をケーシング（１０）から取り出すことができ、配管を切断したり、圧縮機（１０１）等を配管に接続し直すといった複雑な作業をケーシング（１０）の外部で行うことが可能となる。このため、作業者は広いスペースにおいて楽な姿勢で作業を行うことが可能となり、冷媒回路のメンテナンス作業が非常に容易になる。
【０１７１】
請求項２の発明によれば、配管を切断することなく、冷媒回路の全体を吸着素子（８１，８２）の長手方向へ移動させてケーシング（１０）から取り出すことができる。したがって、冷媒回路のメンテナンスに要する工数を更に削減できる。
【０１７２】
請求項３の発明によれば、冷媒回路の熱交換器（１０２，１０３，１０４）及び圧縮機（１０１）が支持部材（７１）に載置されているため、配管を切断することなく、冷媒回路の全体を支持部材（７１）ごとケーシング（１０）の下方へ抜き出すことができる。このため、特に調湿装置が天井裏などの高所に設置されている場合には、冷媒回路のメンテナンス作業に要する工数を大幅に削減できる。
【０１７３】
請求項４の発明では、支持部材（７１）をケーシング（１０）の底部（１９）に対して着脱可能な点検用蓋を兼ねるものとしている。このため、支持部材（７１）をケーシング（１０）の底部（１９）から取り外すと、支持部材（７１）の移動と共に冷媒回路がケーシング（１０）外に取り出される。したがって、下方からの冷媒回路のメンテナンス作業が非常に容易となる。
【図面の簡単な説明】
【図１】実施形態１に係る調湿装置の構成及び除湿運転時の第１動作における空気の流れを示す概略構成図である。
【図２】実施形態１に係る調湿装置の構成及び除湿運転時の第２動作における空気の流れを示す概略構成図である。
【図３】実施形態１に係る調湿装置の構成及び加湿運転時の第１動作における空気の流れを示す概略構成図である。
【図４】実施形態１に係る調湿装置の構成及び加湿運転時の第２動作における空気の流れを示す概略構成図である。
【図５】実施形態１に係る調湿装置の要部拡大図である。
【図６】実施形態１に係る調湿装置の吸着素子の構成を示す概略斜視図である。
【図７】実施形態１に係る調湿装置の設置状態を示す概略平面図である。
【図８】実施形態１に係る調湿装置の点検用蓋の位置を示す概略斜視図である。
【図９】実施形態１に係る調湿装置におけるメンテナンス時の機器の取り出し方向を矢印で示す概略平面図である。
【図１０】実施形態２に係る調湿装置における図９相当図である。
【図１１】実施形態２に係る調湿装置における図８相当図である。
【図１２】実施形態３に係る調湿装置における図１相当図である。
【図１３】実施形態３に係る調湿装置における図２相当図である。
【図１４】実施形態３に係る調湿装置における図３相当図である。
【図１５】実施形態３に係る調湿装置における図４相当図である。
【図１６】実施形態３に係る調湿装置における図７相当図である。
【図１７】実施形態３に係る調湿装置における図８相当図である。
【図１８】実施形態３に係る調湿装置における図９相当図である。
【図１９】実施形態４に係る調湿装置における図１７相当図である。
【図２０】実施形態４に係る調湿装置における図１８相当図である。
【符号の説明】
（１０）  ケーシング
（７１）  支持部材
（８１）  第１吸着素子
（８２）  第２吸着素子
（９５）  第１のファン（第１吹出ファン）
（９６）  第２のファン（第２吹出ファン）
（１０１）  圧縮器
（１０２）  再生熱交換器
（１０３）  第１熱交換器
（１０４）  第２熱交換器
【図１】
2005009767.tif 000003
【図２】
2005009767.tif 000004
【図３】
2005009767.tif 000005
【図４】
2005009767.tif 000006
【図５】
2005009767.tif 000007
【図６】
2005009767.tif 000008
【図７】
2005009767.tif 000009
【図８】
2005009767.tif 000010
【図９】
2005009767.tif 000011
【図１０】
2005009767.tif 000012
【図１１】
2005009767.tif 000013
【図１２】
2005009767.tif 000014
【図１３】
2005009767.tif 000015
【図１４】
2005009767.tif 000016
【図１５】
2005009767.tif 000017
【図１６】
2005009767.tif 000018
【図１７】
2005009767.tif 000019
【図１８】
2005009767.tif 000020
【図１９】
2005009767.tif 000021
【図２０】
2005009767.tif 000022